(57)【要約】【課題】紙葉類を搬送する搬送ベルトの駆動用タイミングプーリをファン付きタイミングプーリとし、このファンにダクトを設けて気流の流れによる機内冷却装置及びその排気を利用した清掃装置を提供する。【解決手段】ファン付きタイミングプーリ３は、ファン３Ｂがタイミングプーリ３Ａにネジ３Ｄによって固定されて構成される。この状態で、搬送ローラが回転することにより、ファン３Ｂが回転する。ファン付きタイミングプーリ３を覆うエア方向指示ダクト３Ｆは、タイミングプーリ３Ａ及びファン３Ｂを覆うダクト下部３Ｆ１とエアの方向を設定するダクト上部３Ｆ２で構成される。ダクト上部３Ｆ２及ダクト下部３Ｆ１は接合部材３Ｇで接合され、この上部ダクト３Ｆ２を回動することにより、通風方向を任意に設定でき、冷却効果を向上すると共に気流のよどみを防止する。【選択図】図４
2008145012.tif 000002
【特許請求の範囲】
【請求項１】
熱源を有する本体内に配置され、搬送ローラと搬送ベルトで構成した搬送路に配置した
機内冷却装置であって、
前記搬送ローラの回転軸に固定されたプーリと、
このプーリに掛け回された前記搬送ベルトと、
前記プーリの回転軸に取り付けたファンと、
このファンを覆い、このファンの回転に伴って発生した気流の流れの方向を設定するエア
方向指示ダクトと、
このエア方向指示ダクトから排気される気流によって前記熱源を冷却することを特徴とす
る機内冷却装置。
【請求項２】
前記エア方向支持ダクトは、
前記プーリ及びファンを覆うダクト下部と、
ファンの上部を覆い、このファンから排気されたエアの排気口を有するダクト上部と、
前記ダクト下部に対して前記ダクト上部を回動可能に連結する連結手段と、
を備えたことを特徴とする機内冷却装置。
【請求項３】
熱源を有する本体内に配置され、搬送ローラと搬送ベルトで構成した搬送路に配置した
機内冷却装置であって、
前記搬送ローラの回転軸に固定されたプーリと、
このプーリに掛け回された前記搬送ベルトと、
前記プーリの回転軸に取り付けたファンと、
このファンを覆い、このファンの回転に伴って発生した気流の流れの方向を設定するエア
方向指示ダクトと、
このエア方向指示ダクトに着脱可能に取り付け可能な延長ホースと、
このエアホースの先端に着脱可能に取り付け可能なノズルと、
を備え、このノズルから吹出すエアにより塵を吹き飛ばすことを特徴とする清掃装置。
【請求項４】
前記延長ホースは、屈曲可能なフレキシブル材質で構成し、任意箇所に当該延長ホース
を配置することを特徴とする請求項３記載の清掃装置。
【発明の詳細な説明】
【技術分野】
【０００１】
本発明は、熱源を有する装置の機内冷却装置及びこの機内冷却装置の排気を用いた清掃
装置に関する。
【背景技術】
【０００２】
有価証券などの紙葉類を処理する紙葉類処理装置には、紙葉類をベルト搬送するための
搬送装置、この搬送装置によって搬送された紙葉類を判別するための紙葉類判別装置、こ
の紙葉類判別装置の判別結果に応じて紙葉類を区分し集積又は施封する集積・施封装置が
備えられている。上記機能を行うために装置内部（以下、機内と称する。）に駆動モータ
、各種表示ランプ、トランスなどの熱源と電装品と、コンピュータ、ＩＣ等の熱により信
頼性、安定性が低下する電子機器が混在している。
【０００３】
上記環境の中で電子機器を安定に稼動させるために機内冷却が不可欠となる。以下、図
６に示す従来の機内冷却方法を説明する。従来は、機体の天井及び床面にファンを取り付
け、床面から機外の冷気を取り入れ、天井から機内の熱を逃がす方式が一般に採用されて
いる。また、部分的な発熱部をチューブを介したポンプからの冷却空気で冷却する方法が
しられている（例えば、特許文献１参照。）。
【０００４】
また、紙葉類処理装置は高速処理が行われることと有価証券を扱うセキュリティを確保
することが求められ、その結果装置全体が閉塞性を有する構成になる場合が多い。さらに
、取り扱う媒体が紙葉類（紙）で、それを高速搬送することから、紙粉、ベルト屑が機体
内に付着、堆積することにより、センサやカメラ等の性能劣化が発生しやすい。この課題
を解決するために、従来は、コンプレッサ等を用いて発生させた風で上記紙粉を吹き飛ば
すか、アクチュエータによりブラシなどの清掃機構を駆動させることにより必要箇所の清
掃を行っていた（例えば、特許文献２参照。）。
【特許文献１】特開平９−３０１３２２号公報  （第２頁、図１７）
【特許文献２】特公平８−３１１６１号公報  （第２−３頁、図２）
【発明の開示】
【発明が解決しようとする課題】
【０００５】
しかしながら、特許文献１記載の従来技術では、機体の天井面及び床面に配置したファ
ンに依存しており、床面に配置したファンで外気を取り入れ、天井に配置したファンで機
内の空気を排気しており、機内には機構部品及び電装部品が複雑に配置されており、空気
のよどみが発生し、機内全体を均一に冷却することが難しかった。
【０００６】
また、機体が大きくなると冷却に必要な風量も増加し、それに伴いファンの大きさ（又
はその数）を増加する必要があるため、コスト及び消費電力の増加となった。
【０００７】
また、上述した清掃機能は、コンプレッサやブラシなど清掃用専用部品を用いていたた
めに、コストアップ及び消費電力の増大になるという課題があった。
【０００８】
本発明は、上述した課題を解決するためになされたもので、紙葉類を搬送する搬送ベル
トの駆動用タイミングプーリをファン付きタイミングプーリとし、このファンにダクトを
設けて気流の流れを形成することによって冷却効果を上げ、かつ、この気流で塵の付着し
やすい部分を吹き飛ばすことにより、清掃も行うことの可能な機内冷却方法を提供する。
【課題を解決するための手段】
【０００９】
上記目的を達成するために、本発明の請求項１記載の機内冷却装置は、熱源を有する本
体内に配置され、搬送ローラと搬送ベルトで構成した搬送路に配置した機内冷却装置であ
って、前記搬送ローラの回転軸に固定されたプーリと、このプーリに掛け回された前記搬
送ベルトと、前記プーリの回転軸に取り付けたファンと、このファンを覆い、このファン
の回転に伴って発生した気流の流れの方向を設定するエア方向指示ダクトと、このエア方
向指示ダクトから排気される気流によって前記熱源を冷却することを特徴とする。
【００１０】
また、本発明の請求項３記載の清掃装置は、熱源を有する本体内に配置され、搬送ロー
ラと搬送ベルトで構成した搬送路に配置した機内冷却装置であって、前記搬送ローラの回
転軸に固定されたプーリと、このプーリに掛け回された前記搬送ベルトと、前記プーリの
回転軸に取り付けたファンと、このファンを覆い、このファンの回転に伴って発生した気
流の流れを設定するエア方向指示ダクトと、このエア方向指示ダクトに着脱可能に取り付
け可能な延長ホースと、このエアホースの先端に着脱可能に取り付け可能なノズルと、を
備え、このノズルから吹出すエアにより塵を吹き飛ばすことを特徴とする。
【発明の効果】
【００１１】
本発明によれば、紙葉類を搬送する搬送ベルトの駆動用タイミングプーリをファン付き
タイミングプーリとし、このファンにダクトを設けて気流の流れを形成することによって
冷却効果を上げ、かつ、この気流で塵の付着しやすい部分を吹き飛ばすことにより、清掃
も行うことができる。
【発明を実施するための最良の形態】
【００１２】
以下、図面を参照して本発明の実施例を説明する。
【実施例１】
【００１３】
図１は、本発明の実施例１による紙葉類処理装置１００にファン付きタイミングプーリ
（プーリ）を配置した搬送装置である。この紙葉類処理装置１００は第１ユニット１０、
第２ユニット２０及び第３ユニット３０で構成されている。
【００１４】
第１ユニットには、駆動源としての搬送モータ１が配置されており、この搬送モータ１
によって取出ロータ２が回転し、紙葉類（図示しない）が取出され図示矢印Ａ方向に搬送
される。
【００１５】
この紙葉類を搬送する搬送路６ａ、６ｂは、ファン付きタイミングプーリ３、及びこの
ファン付きタイミングプーリ３を構成するタイミングプーリに掛け回して搬送路を構成す
る駆動伝達用タイミングベルト（搬送ベルト）などで構成される。
【００１６】
この搬送路６ａ、６ｂで搬送された紙葉類は、例えば第２ユニットに配置された紙葉類
判別装置（図示しない）で判別され、この紙葉類判別装置の判別結果に基づいて例えば第
３ユニットに配置された集積装置（図示しない）又は施封装置（図示しない）で集積又は
施封される。
【００１７】
第１ユニット１０の熱源として、搬送モータ１、取出ロータ２、熱源Ｈ１０〜Ｈ１３が
配置されている。第２ユニット２０の熱源として、熱源Ｈ２０、Ｈ２１が配置されている
。また、第３ユニット３０の熱源としては、Ｈ３０、Ｈ３１が配置されている。
【００１８】
第１ユニットのファンＦ１０は、外気を吸引するファンであり、ファンＦ１１は、第１
ユニット内の上記熱源からの熱を外部に排気するファンである。同様に第２ユニットには
外気を吸引するファンＦ２０及び内部の熱を排気するファンＦ２１が配置され、第３ユニ
ットには、外気を吸引するファンＦ３０及び内部の熱を排気するファンＦ３１が配置され
ている。
【００１９】
図２は、図１に示すファン付きタイミングプーリ３の構成図である。図２（Ａ）は、フ
ァン付きタイミングプーリ３の側面図である。図２（Ｂ）は、ファン付きタイミングプー
リ３の平面図でファン側からみた図である。このファン３Ｂは、タイミングプーリ３Ａに
ネジ３Ｄによって固定される。タイミングプーリ３Ａは、搬送ローラの回転軸３Ｅに固定
される。従って、搬送ローラが回転することによって、当該搬送ローラの回転軸に固定さ
れたタイミングプーリ３Ａ、及びこのタイミングプーリ３Ａに固定されたファン３Ｂが回
転する。３Ｆの構成図である。図３（Ａ）は、平面図で、図３（Ｂ）は図３（Ａ）のＸ１
−Ｘ２断面図である。
【００２０】
図３（Ａ）に示すエア方向指示ダクト３Ｆは、タイミングプーリ３Ａ及びファン３Ｂを
覆うダクト下部３Ｆ１とエアの方向を設定するダクト上部３Ｆ２で構成される。ダクト上
部３Ｆ２及ダクト下部３Ｆ１は接合部材３Ｇで接合される。従って、この上部ダクト３Ｆ
２を回動することにより、気流の流れを任意に設定できる。
【００２１】
図４は、本発明の紙葉類処理装置においてエア方向指示ダクト３Ｆを配置した一例であ
る。図示した方法によれば、第１ユニット１０のファンＦ１０から外気を吸引し、ファン
Ｆ１１から排気する場合、太字矢印で示した方向にエアの方向を設定することによって気
流の流れの方向を形成することにより熱源周辺の気流のよどみをなくし排気することが可
能になる。
【００２２】
例えば熱源Ｈ１２及びＨ１３の気流のよどみは、気流Ｋ１２、Ｋ１３、Ｋ１４によって
吹き付けられファンＦ１１によって吸い込まれ機体外に排気される。
【００２３】
また、熱源Ｈ１０、Ｈ１１の気流のよどみは、気流Ｋ１５、Ｋ１６によって吹き付けら
れ、ファンＦ１１によって吸い込まれ機体外に排気される。
【００２４】
第２ユニット２０及び第３ユニット３０の気流の流れの形成方法は、上述した第１ユニ
ットでの気流の流れの形成方法と同様であり、その説明を省略する。
【００２５】
本実施例によれば、特別な駆動減を用いることなく搬送ベルトの駆動用タイミングプー
リにファンを取り付け、このファンを覆うダクトを設けて気流の流れを形成することによ
り気流のよどみを取去ることができ、もって冷却効果を上げることができ、ファンの個数
減少することができる。
【実施例２】
【００２６】
図５は、本発明の第２の実施例によるセンサＳの防塵装置を説明する図である。この防
塵装置は、エア方向指示ダクト３Ｆ、着脱可能に装着された延長ホース３Ｈ及びノズル３
Ｊなどで構成される。延長ホース３Ｈは、エア方向指示ダクト３Ｆに着脱可能に取り付け
られる。また、この延長ホース３Ｈの屈曲部分は、フレキシブルな材質で構成される。従
って、防塵の必要な箇所に延長ホースを配置するのに好適である。
【００２７】
ノズル３Ｊは延長ホース３Ｈの先端に着脱可能に取り付けられる。従って、このノズル
先端の形状を変えることにより、吹出しエア強度又は吹出し範囲などが異なる場合に適し
たノズルを選択的に使用可能である。
【００２８】
図示した例は、センサＳのセンサ面ＳＡに本実施例の防塵装置によってエアを吹き付け
る場合を示す。このセンサ面ＳＡからノズル３Ｊ先端までの距離を変更することにより、
又はノズル３Ｊの形状を変えることにより吹出し強度又は吹出し範囲を設定できる。
【００２９】
以上説明したように、本発明によれば、実施例１で生成された気流をエア方向指示ダク
トの先端に取り付けたエアホースで防塵対策の必要な箇所に導き、当該エアホースの先端
に取り付けたノズルから吹出すエアによって防塵が可能になる。本実施例では、コンプレ
ッサなどのエア吹出し設備も必要としないために経済性に優れている。
【図面の簡単な説明】
【００３０】
【図１】本発明の実施例１による紙葉類処理装置にファン付きタイミングプーリを配置した搬送装置である。
【図２】図１に示すファン付きタイミングプーリ３の構成図。
【図３】図２に示すファン付きタイミングプーリを覆うエア方向指示ダクトの構成図。
【図４】紙葉類処理装置においてエア方向指示ダクトを配置し気流の流れを形成した図。
【図５】本発明の実施例２による防塵装置の一例を示す図。
【符号の説明】
【００３１】
Ｈ１０〜Ｈ１３  熱源
Ｈ２０、Ｈ２１  熱源
Ｈ３０、Ｈ３１  熱源
Ｆ１０、Ｆ１１  ファン
Ｆ２０、Ｆ２１  ファン
Ｆ３０、Ｆ３１  ファン
Ｋ１２〜Ｋ１６  気流の流れ
Ｙ１、Ｙ２  気流のよどみ
１  搬送モータ
２  取出ロータ
３  ファン付きタイミングプーリ
３Ａ  タイミングプーリ
３Ｂ  ファン
３Ｄ  ネジ
３Ｅ  軸
３Ｆ  エア方向指示ダクト
３Ｇ  接合部材
３Ｈ  延長ホース
３Ｊ  ノズル
【図１】
2008145012.tif 000003
【図２】
2008145012.tif 000004
【図３】
2008145012.tif 000005
【図４】
2008145012.tif 000006
【図５】
2008145012.tif 000007